(57)【特許請求の範囲】
【請求項１】
各種機能に関わるグラフィカルユーザインタフェースの要素である機能ウィジェットを表示する表示手段を備えた情報処理装置において、
前記表示手段における前記機能ウィジェットの表示の領域を区分けするレイアウトパターンについて、区分けされた領域が異なる複数のレイアウトパターンを記憶するレイアウトパターン記憶手段と、
前記レイアウトパターンの区分けされた領域に前記機能ウィジェットを割り当てるための複数の配置順序を記憶する配置順序記憶手段と、
ユーザの指定した前記レイアウトパターンおよび前記配置順序を受け付けて、その受け付けたレイアウトパターンを前記レイアウトパターン記憶手段から呼び出し、受け付けた配置順序を前記配置順序記憶手段から呼び出し、その呼び出したレイアウトパターンの区分けされた領域に、その呼び出した配置順序に応じて前記機能ウィジェットを割り当てて表示データを生成する表示制御手段と
を備えることを特徴とする情報処理装置。
【請求項２】
前記表示制御手段は、前記レイアウトパターンの区分けされた領域のサイズに応じてその領域に割り当てる前記機能ウィジェットを選択する
ことを特徴とする請求項１記載の情報処理装置。
【請求項３】
ユーザによる前記配置順序の変更を受け付けて、その受け付けた変更に応じて前記配置順序の変更を行い、変更後の配置順序を前記配置順序記憶手段に記憶する処理を行う変更設定手段を備えている
ことを特徴とする請求項１記載の情報処理装置。
【請求項４】
初期状態の前記レイアウトパターンおよび前記配置順序を記憶する初期状態記憶手段を備えており、
前記表示制御手段は、電源投入後もしくはリセット操作後もしくは所定時間経過後に前記初期状態記憶手段に記憶されているレイアウトパターンおよび配置順序によって前記表示データの生成を行う
ことを特徴とする請求項１記載の情報処理装置。
【請求項５】
前記表示制御手段は、リセット操作があった場合にパラメータのみ初期値に戻し、それまでのレイアウトパターンおよび配置順序による表示を維持する処理を行う
ことを特徴とする請求項１記載の情報処理装置。
【請求項６】
レイアウトパターン又は配置順序を他の情報処理装置との間で送受信する送受信手段を
さらに備えることを特徴とする請求項１記載の情報処理装置。
【請求項７】
前記表示制御手段は、当該情報処理装置に設置されたキー又は操作パネルに表示されたボタンへのユーザによる操作を受け付け、操作された該キーまたは該ボタンに割り当てられているレイアウトパターンおよび配置順序の組み合わせを呼び出して前記表示データの生成を行う
ことを特徴とする請求項１記載の情報処理装置。
【請求項８】
各種機能に関わるグラフィカルユーザインタフェースの要素である機能ウィジェットを表示手段に表示する制御をコンピュータにより実行する情報処理プログラムにおいて、
予め、前記表示手段における前記機能ウィジェットの表示の領域を区分けするレイアウトパターンについて、区分けされた領域が異なる複数のレイアウトパターンと、前記レイアウトパターンの区分けされた領域に前記機能ウィジェットを割り当てるための複数の配置順序とを記憶手段に記憶しておき、
ユーザの指定した前記レイアウトパターンおよび前記配置順序を受け付けた段階で、その受け付けたレイアウトパターンをおよび配置順序を前記記憶手段から呼び出し、その呼び出したレイアウトパターンの区分けされた領域に、その呼び出した配置順序に応じて前記機能ウィジェットを割り当てた表示データを生成する処理をコンピュータによって実行する
ことを特徴とする情報処理プログラム。
【発明の詳細な説明】
【技術分野】
【０００１】
本発明は、機能を選択するためのボタンやパラメータを設定するためのボックスを表示手段に表示する制御を行う情報処理装置および情報処理プログラムに関する。
【背景技術】
【０００２】
近年、コピー、スキャナ、プリンタ、ファクシミリ、電子メール等の各種機能を備えた複合機が多く用いられている。このような多機能化した複合機では、所望の機能を実行するため、表示パネルには機能選択のためのボタンやパラメータ設定のためのボックスが表示されており、ユーザは表示パネルを参照して所望のボタン選択やボックスへのパラメータ入力を行って、目的とする機能を実行している。
【０００３】
ここで、デジタル複合機は、様々機能が集約されているが、表示パネルにはよく利用されるであろう機能を最大公約数的に同じレイアウトで提供するカスタマイズしか提供できていない。そこで、ユーザ毎に認証をした上で個別の初期画面表示、あるいは、動作モードの条件パラメータをユーザ毎に設定できるようにするというアイデアが出されている。
【０００４】
しかし、ユーザ毎にカスタマイズ可能であったとしても、各ユーザがカスタマイズ設定したり、使いやすいようにメンテナンスする必要があり、実際にはユーザにとってそのようなことは面倒であり、十分利用されているとはいえない。むしろ、予めアレンジされたカスタマイズパターンの中から、自分のタスクに近いものを選択し、その場で多少の変更をした上で使う方が現実的である。また、他の誰かがカスタマイズしたものを共有して使える方がメリットであり、どのユーザに使わせるか管理するようなことは現実的ではない。
【０００５】
したがって、ユーザ認証を必ずしも必要とせず、ユーザが所望するタスクに応じたレイアウトカスタマイズが選択可能で、それを共有して利用できるシステムが必要と考えられている。
【０００６】
従来では、多機能の複合機をユーザが使用する場合の使い勝手を向上させるため、プログラムとして記憶されている画像形成装置の機能項目についてユーザが指定した内容を呼び出す装置の例（例えば、特許文献１参照）、ジョブの起動条件を記憶して展開することができるパラメータ記憶型のジョブメモリ、ユーザが操作した履歴を記憶して、呼び出して実行するステップ記憶型ジョブメモリ、動作モードをリセットする装置の例(例えば、特許文献２参照)、利用者毎にオートクリアを動作させる例（例えば、特許文献３参照）といったものがあり、動作条件を記憶し、呼び出して利用する技術が開示されている。
【０００７】
【特許文献１】特開平７−１３４５１７号公報
【特許文献２】特開平６−１７５４４４号公報
【特許文献３】特開平６−１８９０４９号公報
【発明の開示】
【発明が解決しようとする課題】
【０００８】
しかしながら、これらは動作条件、あるいは動作モードとして機能項目の設定状態を記憶し、呼び出し、リセットするものであり、表示パネルへのボタンおよびボックスのレイアウトパターンを容易に選択することはできない。また、複数の画像形成装置間でユーザの設定内容（カスタマイズ情報）を共用する技術（特開２００１−３０６２０４号公報）や、レイアウトをカスタマイズする例としては、操作ボタンの位置、形状、大きさ、色などをカスタマイズする例（特開平６−７８０９４号公報）があるものの、操作しなければならない対象、機能項目は変わらないため、レイアウトのカスタマイズだけでは操作性向上を図ることはできない。
【課題を解決するための手段】
【０００９】
本発明はこのような課題を解決するために成されたものである。すなわち、本発明    は、各種機能に関わるグラフィカルユーザインタフェースの要素である機能ウィジェ ットを表示する表示手段を備えた情報処理装置において、前記表示手段における前記    機能ウィジェットの表示の領域を区分けするレイアウトパターンについて、区分けさ れた領域が異なる複数のレイアウトパターンを記憶するレイアウトパターン記憶手段    と、前記レイアウトパターンの区分けされた領域に前記機能ウィジェットを割り当て    るための複数の配置順序を記憶する配置順序記憶手段と、ユーザの指定した前記レイ    アウトパターンおよび前記配置順序を受け付けて、その受け付けたレイアウトパター    ンを前記レイアウトパターン記憶手段から呼び出し、受け付けた配置順序を前記配置    順序記憶手段から呼び出し、その呼び出したレイアウトパターンの区分けされた領域    に、その呼び出した配置順序に応じて前記機能ウィジェットを割り当てて表示データ    を生成する表示制御手段とを備えている。
【００１０】
また、本発明は、各種機能に関わるグラフィカルユーザインタフェースの要素であ る機能ウィジェットを表示手段に表示する制御をコンピュータにより実行する情報処    理プログラムにおいて、予め、前記表示手段における前記機能ウィジェットの表示の    領域を区分けするレイアウトパターンについて、区分けされた領域が異なる複数のレ    イアウトパターンと、前記レイアウトパターンの区分けされた領域に前記機能ウィジ ェットを割り当てるための複数の配置順序とを記憶手段に記憶しておき、ユーザの指    定した前記レイアウトパターンおよび前記配置順序を受け付けた段階で、その受け付    けたレイアウトパターンをおよび配置順序を前記記憶手段から呼び出し、その呼び出    したレイアウトパターンの区分けされた領域に、その呼び出した配置順序に応じて前    記機能ウィジェットを割り当てた表示データを生成する処理をコンピュータによって    実行する情報処理プログラムである。
【００１１】
このような本発明では、予め設定されたレイアウトパターンおよび配置順序をユーザが指定することによって、その組み合わせによって画面への表示データを構築するとともに、各々の組み合わせを自由にすること、ユーザがその組み合わせを呼び出し、切り替えて使用することができる。これにより、複数のユーザタスクテーマに応じた複数の画面を簡易に切り替えて使うことができる。
【発明の効果】
【００１２】
したがって、本発明によれば、ユーザは、レイアウトパターンを切り替えるか、機能ウィジェットの配置順番を切り替えることで、自分の好みや頻度の高いタスクに応じた画面表示を容易に得ることが可能となる。
【発明を実施するための最良の形態】
【００１３】
以下、本発明の実施の形態を図に基づき説明する。図１は、本実施形態に係る情報処理装置を説明するブロック図である。すなわち、本実施形態に係る情報処理装置１は、機能を選択するためのボタン（アイコン）やパラメータ設定のためのボックス（データ入力枠）を表示する操作パネル（表示手段）２０を備えたもので、主としてコピー機能、ファクシミリ機能、スキャン機能、電子メール機能等の複数機能を実行可能な複合機から成るものである。
【００１４】
情報処理装置１は、操作パネル２０のほか、コントローラ１０、画像入力部３０および画像出力部４０を備えており、操作パネル２０のタッチパネルディスプレイ２１に表示されるボタンの選択、ボックスへのパラメータ入力を受け付けて、所望の機能を実行する。
【００１５】
コントローラ１０は、操作パネル２０、画像入力部３０および画像出力部４０を制御する部分であり、パネルＩ／Ｆ（インタフェース）１１、メインＣＰＵ１２、システムメモリ１３、前初期値記憶部１４、システムメモリ１５、入力部Ｉ／Ｆ１６、出力部Ｉ／Ｆ１７、初期値記憶部１８およびＨＤＤ（ハードディスクドライブ）１９によって構成され、主として操作パネル２０に対するデータ入出力制御をパネルＩ／Ｆ１１で行い、画像入力部３０に対するデータ入出力制御を入力部Ｉ／Ｆ１６で行い、画像出力部４０に対するデータ入出力を出力部Ｉ／Ｆ１７で行う。
【００１６】
また、メインＣＰＵ１２は、各部の制御処理とともに、操作パネル２０のタッチパネルディスプレイ２１にボタンやボックスを表示するための表示データを生成するプログラムを実行している。このプログラムが本実施形態に係る情報処理プログラムとなっている。
【００１７】
このような本実施形態に係る情報処理装置１では、ユーザが自分の行いたいタスクに応じた画面表示を、ユーザ認証によるユーザ毎のカスタマイズではなく、簡単な操作で切り替えることができる点に特徴がある。
【００１８】
これを実現するため、本実施形態に係る情報処理装置１は、操作パネル２０のタッチパネルディスプレイ２１にボタンやボックスを表示する領域を区分けしたレイアウトパターンを記憶するレイアウトパターン記憶部と、レイアウトパターンの区分けされた領域にボタンやボックスを割り当てるための配置順序を記憶する配置順序記憶部とをＨＤＤ１９に備えているとともに、ユーザの指定したレイアウトパターンおよび配置順序を受け付けて、その受け付けたレイアウトパターンおよび配置順序をＨＤＤ１９から呼び出し、その呼び出したレイアウトパターンの区分けされた領域に、その呼び出した配置順序に応じてボタンやボックスを割り当てて表示データを生成する表示制御手段をメインＣＰＵ１２のプログラム処理として実行している。
【００１９】
ここで、レイアウトパターンとは、タッチパネルディスプレイ２１の表示領域を区分けして、各区分け毎に番号付けをしたもので、例えば図３〜図７に示すようなパターンがある。なお、図３〜図７のレイアウトパターンは一例であり、これ以外でもよい。
【００２０】
また、配置順序とは、レイアウトパターンの区分けに対応して割り当てられる機能のウィジェットの配置順を設定した情報であり、上記レイアウトパターンの番号付けの順に機能ウィジェットが割り当てられたものである。ここで、機能ウィジェットとは、各種機能に関わるグラフィカルユーザインタフェースの要素である。配置順序は予めＨＤＤ１９に記憶されていても、所定のプログラム処理によってユーザが変更できるよう構成してもよい。
【００２１】
本実施形態では、このようなレイアウトパターンや配置順序が予め設定されていることから、ユーザは好みのレイアウトパターンと配置順序とを指定するだけでそのレイアウトパターンの区分けに配置順序に応じた機能ウィジェットが配置された画面表示を得ることができるようになる。
【００２２】
次に、図２のフローチャートに沿って本実施形態に係る情報処理プログラムを説明する。先ず、ユーザによって指定されたレイアウトパターンをＨＤＤ１９のレイアウトパターン記憶部より読み出し、区分けされた領域の情報から区分けの縦横サイズを決定する（ステップＳ１）。
【００２３】
次に、機能ウィジェットを配置すべき領域があるか否かを判断し（ステップＳ２）、ある場合には、ユーザの指定した配置順序をＨＤＤ１９の配置順序記憶部より読み出し、その先頭の機能名から対応する機能ウィジェットに割り当て先のサイズ情報を通知する（ステップＳ３）。
【００２４】
次いで、機能ウィジェットはビューのサイズと割り当て先となる配置領域のサイズとを比較する（ステップＳ４）。具体的には、機能ウィジェットによる最大のビューサイズと配置領域のサイズとを比較し（ステップＳ５）、そのビューサイズで配置領域に入るか否かを判断する（ステップＳ６）。入らない場合には次に大きい別のビューサイズと配置領域のサイズとを比較し（ステップＳ７）、入るか否かを判断する（ステップＳ８）。そして、配置領域に入るビューサイズが見つかるまでステップＳ７〜Ｓ８を繰り返す。配置領域に入るビューサイズが見つかった場合には、そのビューサイズの機能ウィジェットを配置領域に割り当てるよう確定する（ステップＳ９）。
【００２５】
次いで、ステップＳ２へ戻り、別の配置すべき領域があるか否かを判断し、ある場合にはステップＳ３〜Ｓ９を繰り返し、その配置領域に入るビューサイズの機能ウィジェットを確定する。全ての配置領域に対して機能ウィジェットの割り当てを確定した場合には、そのレイアウトで表示データを生成し、タッチパネルディスプレイ２１に描画する（ステップＳ１０）。
【００２６】
このような本実施形態の情報処理プログラムによって、ユーザは所望のレイアウトパターンと配置順序とを指定するだけで簡単に表示レイアウトの変更を実現でき、ジョブの頻度や、よく利用する内容に応じた画面レイアウトを用いてジョブを実行できるようになる。
【００２７】
なお、情報処理装置１の電源投入時やリセット操作後もしくは所定時間経過後など、ユーザによる指定がない場合には、情報処理装置１の初期値記憶部１８に予め記憶されたレイアウトパターンと配置順序とを用いて上記情報処理プログラムを実行し、このレイアウトパターンおよび配置順序によって表示データを生成すればよい。この初期値記憶部１８に記憶されるレイアウトパターンおよび配置順序は、予めユーザによって設定されていても、機器の初期値として登録されていてもよい。
【００２８】
また、ユーザがレイアウトパターンおよび配置順序を指定した場合にはその組み合わせを前初期値記憶部１４に記憶しておき、リセット操作を行っても前初期値記憶部１４に記憶してあるレイアウトパターンおよび配置順序による表示を維持するようにしてもよい。リセット操作による表示の維持を行うか、初期状態への切り替えを行うかは、予めユーザによって設定しておけばよい。
【００２９】
次に、具体的な例として、メール機能に関する画面レイアウトの設定について説明する。従来のメール送信画面のレイアウトは、固定的なものでありユーザのタスクに応じたカスタマイズ性というものはなかったが、本実施形態では種々のレイアウトパターンをユーザが選択できるようになっている。
【００３０】
レイアウトパターンとしては、図３〜図７に示すものが考えられる。図３に示すレイアウトパターンＡは、最も多くの機能をレイアウトできるパターン、図４に示すレイアウトパターンＢは、機能をシンプルにレイアウトできるパターン、図５に示すレイアウトパターンＣは、ビギナー向けにレイアウトできるパターンのうち送信、宛先タブの選択で表示されるもの、図６に示すレイアウトパターンＤは、ビギナー向けにレイアウトできるパターンのうち件名、本文タブの選択で表示されるもの、図７に示すレイアウトパターンＥは、ビギナー向けにレイアウトできるパターンのうち機能タブの選択で表示されるものである。いずれのレイアウトパターンでも、各々の区分けに応じて番号付けが成されており、この番号に対応して、配置順序で指定された機能が順に割り当てられることになる。
【００３１】
図８は、レイアウトパターンと配置順序との組み合わせ例を示す図である。ここで、配置順序は０１〜０５までの５パターンが用意されている。このうち配置順序０１では、１：送信先指定、２：宛先、３−１：送信者アドレス、３−２：件名、３−３：本文、４：カラーモード、５：両面指定、６：原稿の画質、７：出力ファイル形式の順に機能が指定されている。また、配置順序０２では、１：送信先指定、２：宛先、３：両面指定の順に指定され、配置順序０３では、１：宛先、２：送信者アドレスの順に指定され、配置順序０４では、１：件名、２：本文の順に指定され、配置順序０５では、１：カラーモード、２：両面指定、３：原稿の画質、４：出力ファイル形式の順に指定されている。
【００３２】
ユーザは、上記説明したレイアウトパターンと、この配置順序とを指定することによって、それらを組み合わせたレイアウト画面を表示させることができる。例えば、レイアウトパターンＡと配置順序０１とを選択した場合、図３に示すレイアウトパターンＡの区分けの番号と対応した配置順序０１の番号の機能が割り当てられ、割り当てられた区分けの領域サイズに応じた機能ウィジェットが選択され、タッチパネルディスプレイ２１に描画されることになる。
【００３３】
レイアウトパターンＡと配置順序０１との組み合わせでは、図３に示すレイアウトパターンＡの区分け番号１の位置に配置順序０１の番号１である「送信先指定」の機能ウィジェットが配置され、レイアウトパターンＡの区分け番号２の位置に配置順序０１の番号２である「宛先」の機能ウィジェットが配置される。同様に、区分け番号３−１の位置には「送信者アドレス」、区分け番号３−２の位置には「件名」、区分け番号３−３の位置には「本文」、区分け番号４の位置には「カラーモード」、区分け番号５の位置には「両面指定」、区分け番号６の位置には「原稿の画質」、区分け番号７の位置には「出力ファイル形式」の各機能ウィジェットが配置されることになる。図９は、このレイアウトパターンＡと配置順序０１との組み合わせによる画面表示の例を示している。
【００３４】
ここで、ユーザによる画面レイアウトの切り替えは、図１０に示すようなタスクランチャー画面によって行うようにすれば更に容易となる。図１０に示すタスクランチャー画面では、「エキスパート」、「メールビギナー」、「シンプルメール」等のタスク選択ボタンが表示されており、各ボタンに対応してレイアウトパターンと配置順序との組み合わせが予め設定されている。
【００３５】
例えば、「エキスパート」のボタンを選択すると、レイアウトパターンＡと配置順序０１との組み合わせが自動的に設定され、図９に示す画面表示が行われる。また、「メールビギナー」のボタンを選択すると、レイアウトパターンＣと配置順序０３、レイアウトパターンＤと配置順序０４、レイアウトパターンＥと配置順序０５との組み合わせが自動的に設定され、各々の組み合わせがタブによって切り替え可能な画面表示が行われる。
【００３６】
図１１〜図１３は、「メールビギナー」用のタブ切り替え型画面表示の例を示す図である。「メールビギナー」ボタンが選択されると、レイアウトパターンＣと配置順序０３、レイアウトパターンＤと配置順序０４、レイアウトパターンＥと配置順序０５、の３つの組み合わせが設定され、これらをタブによって切り替え可能な画面表示となる。
【００３７】
例えば、図１１に示す宛先タブでは、レイアウトパターンＣと配置順序０３との組み合わせによる画面表示となり、「宛先」および「送信者アドレス」の機能ウィジェットが表示される。また、図１２に示す件名タブでは、レイアウトパターンＤと配置順序０４との組み合わせによる画面表示となり、「件名」および「本文」の機能ウィジェットが表示される。また、図１３に示す機能タブでは、レイアウトパターンＥと配置順序０５との組み合わせによる画面表示となり、「カラーモード」、「両面指定」、「原稿の画質」、「出力ファイル形式」の機能ウィジェットが表示される。これらの各画面表示は、タブの選択によって切り替えられることになる。
【００３８】
また、図１０に示すタスクランチャー画面で「シンプルメール」ボタンが選択されると、レイアウトパターンＢと配置順序０２との組み合わせが自動的に設定され、図１４に示すような「送信先指定」、「宛先」、「両面指定」の各機能ウィジェットがレイアウトパターンＢの対応する位置に配置されることになる。
【００３９】
また、上記のように、予めレイアウトパターンと配置順序との組み合わせが設定されているもの以外の組み合わせで表示させることも可能である。この場合、ユーザによってレイアウトパターンと配置順序とを別個に設定してもらう、もしくタスクランチャー画面のボタンによるレイアウトパターンと配置順序との組み合わせを自由に設定できるようにしておく。
【００４０】
図１５は、レイアウトパターンＢと配置順序０１との組み合わせによる画面表示例を示す図である。ここで、レイアウトパターンＢでは、図４に示すように区分けが３つとなっており、配置順序０１の機能数より少ない。この場合、区分け番号の１〜３に対応する配置順序０１の番号１〜３−１の機能のみを割り当てるようにする。したがって、図１５に示すように、この画面表示には「送信先指定」、「宛先」、「送信者アドレス」の３つが各々対応する区分け領域に表示される。なお、配置されずに残った番号３−２以降の機能については、例えば「その他」のタブを選択することで画面を切り替えて表示させるようにすればよい。
【００４１】
いずれの例でも、レイアウトパターンの区分け領域のサイズに応じた機能ウィジェットが自動的に選択され、そのサイズに収まるような表示データの生成が行われる。例えば、「両面」に関する機能ウィジェットには図１６に示すような２種類が用意されている。すなわち、図１６（ａ）は小さいサイズの機能ウィジェット、図１６（ｂ）は大きいサイズの機能ウィジェットである。
【００４２】
したがって、例えば、レイアウトパターンＡの区分け番号５や、レイアウトパターンＥの区分け番号２など、小さな区分け領域に割り当てる場合には図１６（ａ）に示す小さな表示となる機能ウィジェットが選択され、これにより図９、図１３に示すような表示が実現される。一方、レイアウトパターンＢの区分け番号３など、大きな区分け領域に割り当てる場合には図１６（ｂ）に示す大きな表示となる機能ウィジェットが選択され、これにより図１４に示すような表示が実現される。
【００４３】
このような本実施形態では、ユーザが、レイアウトパターンや配置順序を切り替えることで、自分がやりたいタスクに応じた画面表示を簡単に得ることが可能となる。特に、本実施形態では、ユーザ認証によるユーザ毎のカスタマイズ画面ではなく、タスクに応じたカスタマイズ画面をユーザ間で共用して使うことができる。例えば、先に説明したタスクランチャー画面や、機器のハードキーに所望のレイアウトパターンおよび配置順序の組み合わせを割り当てておくことで、ボタン操作のみで呼び出して使用することが可能となる。
【００４４】
また、従来のジョブメモリのようなカスタマイズは、動作条件、動作モードを記憶、維持しているところが特徴であったが、本実施形態では、レイアウトパターン、配置順序を記憶しておくことにより、各々の機能仕様が変更になったとしても、レイアウトパターンと配置条件には影響がないため、ユーザのカスタマイズ情報を修正せずにそのまま継続して利用することが可能であり、機能バージョンアップが導入しやすくなる。
【００４５】
さらに、従来のショートカットとは違い、カスタマイズされたレイアウト、配置条件を持っているため、必要なパラメータのみを変更して繰り返し利用することができる。
【００４６】
切り替えたレイアウトパターンと、配置条件がリセット操作でクリアされない設定では、コピーなどで繰り返し利用するための操作性が向上する。
【００４７】
また、以前使用していた機器と同じレイアウトパターンを用意しておけば、ユーザが以前に使っていた機器と同じレイアウトによって違和感無く利用することができる。
【００４８】
また、オフィス機器として共用する場合、オートクリアでレイアウトカスタマイズをクリアして、他のユーザが混乱しないようにすることもできる。さらに、レイアウトパターンと配置順序の情報を他の機種にも同様に適用すること、例えばネットワークを介してレイアウトパターンや配置順序の情報を機器間で交換することによって、ユーザはどの機器を使用する場合でも同じ操作性を享受することができるようになる。
【図面の簡単な説明】
【００４９】
【図１】本実施形態に係る情報処理装置を説明するブロック図である。
【図２】本実施形態に係る情報処理プログラムを説明するフローチャートである。
【図３】レイアウトパターンＡの例を示す図である。
【図４】レイアウトパターンＢの例を示す図である。
【図５】レイアウトパターンＣの例を示す図である。
【図６】レイアウトパターンＤの例を示す図である。
【図７】レイアウトパターンＥの例を示す図である。
【図８】レイアウトパターンと配置順序との組み合わせ例を示す図である。
【図９】レイアウトパターンＡと配置順序０１との組み合わせによる画面表示の例を示す図である。
【図１０】タスクランチャー画面の例を示す図である。
【図１１】メールビギナー用の宛先タブの画面表示例を示す図である。
【図１２】メールビギナー用の件名タブの画面表示例を示す図である。
【図１３】メールビギナー用の機能タブの画面表示例を示す図である。
【図１４】シンプルメール用の画面表示例を示す図である。
【図１５】レイアウトパターンＢと配置順序０１との組み合わせによる画面表示の例を示す図である。
【図１６】両面における２つの機能ウィジェットの例を示す図である。
【符号の説明】
【００５０】
１…情報処理装置、１０…コントローラ、１１…パネルＩ／Ｆ、１２…メインＣＰＵ、１３…システムメモリ、１４…前初期値記憶部、１５…システムメモリ、１６…入力部Ｉ／Ｆ、１７…出力部Ｉ／Ｆ、１８…初期値記憶部、１９…ＨＤＤ、２０…操作パネル、２１…タッチパネルディスプレイ、３０…画像入力部、４０…画像出力部
【図１】
0004650141.tif 000002
【図２】
0004650141.tif 000003
【図３】
0004650141.tif 000004
【図４】
0004650141.tif 000005
【図５】
0004650141.tif 000006
【図６】
0004650141.tif 000007
【図７】
0004650141.tif 000008
【図８】
0004650141.tif 000009
【図９】
0004650141.tif 000010
【図１０】
0004650141.tif 000011
【図１１】
0004650141.tif 000012
【図１２】
0004650141.tif 000013
【図１３】
0004650141.tif 000014
【図１４】
0004650141.tif 000015
【図１５】
0004650141.tif 000016
【図１６】
0004650141.tif 000017